(57)【要約】【課題】複数枚の中身を重ねた状態で収納してなるフィルム袋を入れるのに利用される包装容器であって、そのフィルム袋の中身が残った場合に、フィルム袋の空いた部分を閉じることのできる止め具を備えた包装容器を提供すること。【解決手段】フィルム袋の中身が途中まで消費されて残った場合に、サイドフラップ１０，１２を切り離して使用する。このとき、切り離したサイドフラップ１０，１２を中央折り線ｍ，ｎのところで２つに折ることにより、強度が高まるとともに切込み線どうしが重なり、中央折り線ｍ，ｎのところに線状部分βにより差込み口が形成された留め具となるので、フィルム袋のねじった部分をその差込み口から差し込んで円形部分αのところにセットする。【選択図】図２
2015193387.tif 000002
【特許請求の範囲】
【請求項１】
前面パネル、背面パネルおよび左右の側面パネルからなる角筒状の胴部を有し、前面パネルの上辺には天面外側パネルが連設され、背面パネルの上辺には天面内側パネルが連設され、左右の側面パネルの上辺にはそれぞれサイドフラップが連設されており、左右のサイドフラップをそれぞれ内側に折り曲げてから、天面内側パネルと天面外側パネルを順次折り曲げて貼り合わせることで上部閉鎖部を形成する包装容器であって、
少なくとも一方のサイドフラップを切離し可能とし、そのサイドフラップを２つ折りするための中央折り線を形成するとともに、円形部分と線状部分とが繋がった切込み線を、中央折り線のところで線状部分の先端どうしが繋がる状態で線対称となるようにして、サイドフラップに２つ形成したことを特徴とする包装容器。
【請求項２】
前面パネル、背面パネルおよび左右の側面パネルからなる角筒状の胴部を有し、前面パネルの上辺には天面外側パネルが連設され、背面パネルの上辺には天面内側パネルが連設され、左右の側面パネルの上辺にはそれぞれサイドフラップが連設されており、左右のサイドフラップをそれぞれ内側に折り曲げてから、天面内側パネルと天面外側パネルを順次折り曲げて貼り合わせることで上部閉鎖部を形成する包装容器であって、
一方の側面パネルの上部に、サイドフラップが折り重なった状態で内側に折曲げが可能な大きさの折曲げ部分を、側面パネルを横断する折り線と側面パネルの左右の折り線の一部分であるミシン目とにより区画し、円形部分と線状部分とが繋がった切込み線を、サイドフラップと側面パネルの折曲げ部分との境界線のところで線状部分の先端どうしが繋がる状態で線対称となるようにして、サイドフラップと側面パネルの折曲げ部分とに１つずつ形成したことを特徴とする包装容器。
【発明の詳細な説明】
【技術分野】
【０００１】
本発明は、板紙やプラスチックシートなどを展開形状に打ち抜いたブランクを組み立てて形成される包装容器の技術分野に属し、詳しくは、複数枚の中身を重ねた状態で収納してなるフィルム袋を入れて販売形態とされる包装容器に関するものである。
【背景技術】
【０００２】
従来より、菓子類を入れて販売するための包装容器の一つとして、板紙を打ち抜いたブランクからなり、両端をシールエンドで閉じた直サック形式の包装容器があり、この形式の包装容器は、使用形態によって大きく横置き（横向き）タイプと縦置き（縦向き）タイプとに分けられる。
【０００３】
そして、縦置きタイプの代表的なものの一つに、シールエンドの天面パネルを縦断するジッパーを引き裂いて除去することで、その天面パネルを二分して開封するようにした縦長の包装容器があり、この縦置きタイプの包装容器を利用した製品として、ビスケット、クッキー、クラッカー、ポテトチップなどの薄手あるいは扁平状の菓子類を多数枚重ねた状態で収納した細長いフィルム袋を２本並べて入れたものが多く見られる。
【先行技術文献】
【特許文献】
【０００４】
【特許文献１】特開２０１２−１２０３７号公報
【特許文献２】特開平８−２６２５８号公報
【特許文献３】特開２００７−５５６６０号公報
【発明の概要】
【発明が解決しようとする課題】
【０００５】
上記した如き２本のフィルム袋が入った縦長の包装容器は、薄手あるいは扁平状の菓子類を多数収納しているが、菓子類を整列状態で重ねてフィルム袋に収納し、そのフィルム袋を２本並べて入れているので、湿気を防ぐ密封状態を保つことができ、しかも無駄な空間が少ない点で販売形態として優れている。中身の菓子類を食べるに際しては、天面パネルのジッパーを引き裂いて開封し、フィルム袋を取り出した後、フィルム袋の端を剥がして所定量の菓子類を取り出す。そして、フィルム袋から中身の菓子類を途中まで取り出してその一部を残す場合は、フィルム袋の空いた部分をねじってリクローズすることが行われている。
【０００６】
しかしながら、フィルム袋の空いた部分をねじってリクローズしただけでは、閉じた部分が緩むことで、残った中身の整列状態が大きく崩れたり、中身が誤って飛び出してしまったりすることが起きる。輪ゴムやその他の留め具を使用すればよさそうなものであるが、通常これらは身の周りに都合よくあるものではない。
【０００７】
本発明は、このような背景に鑑みてなされたものであり、その目的とするところは、複数枚の中身を重ねた状態で収納してなるフィルム袋を入れるのに利用される包装容器であって、そのフィルム袋の中身が残った場合に、フィルム袋の空いた部分を閉じることのできる止め具を備えた包装容器を提供することにある。
【課題を解決するための手段】
【０００８】
上記の目的を達成するため、本発明の包装容器は、前面パネル、背面パネルおよび左右の側面パネルからなる角筒状の胴部を有し、前面パネルの上辺には天面外側パネルが連設され、背面パネルの上辺には天面内側パネルが連設され、左右の側面パネルの上辺にはそれぞれサイドフラップが連設されており、左右のサイドフラップをそれぞれ内側に折り曲げてから、天面内側パネルと天面外側パネルを順次折り曲げて貼り合わせることで上部閉鎖部を形成する包装容器であって、
少なくとも一方のサイドフラップを切離し可能とし、そのサイドフラップを２つ折りするための中央折り線を形成するとともに、円形部分と線状部分とが繋がった切込み線を、中央折り線のところで線状部分の先端どうしが繋がる状態で線対称となるようにして、サイドフラップに２つ形成したことを特徴とする。
【０００９】
この包装容器は、複数枚の中身を重ねた状態で収納してなるフィルム袋を少なくとも１つ以上収納して販売形態とされる。そして、フィルム袋の中身が途中まで消費されて残った場合に、サイドフラップを切り離して使用する。このとき、切り離したサイドフラップを中央折り線のところで２つに折ることにより、強度が高まるとともに切込み線どうしが重なり、中央折り線のところに線状部分により差込み口が形成された留め具となるので、フィルム袋のねじった部分をその差込み口から差し込んで円形部分のところにセットすることができる。
【００１０】
また、本発明の包装容器は、前面パネル、背面パネルおよび左右の側面パネルからなる角筒状の胴部を有し、前面パネルの上辺には天面外側パネルが連設され、背面パネルの上辺には天面内側パネルが連設され、左右の側面パネルの上辺にはそれぞれサイドフラップが連設されており、左右のサイドフラップをそれぞれ内側に折り曲げてから、天面内側パネルと天面外側パネルを順次折り曲げて貼り合わせることで上部閉鎖部を形成する包装容器であって、
一方の側面パネルの上部に、サイドフラップが折り重なった状態で内側に折曲げが可能な大きさの折曲げ部分を、側面パネルを横断する折り線と側面パネルの左右の折り線の一部分であるミシン目とにより区画し、円形部分と線状部分とが繋がった切込み線を、サイドフラップと側面パネルの折曲げ部分との境界線のところで線状部分の先端どうしが繋がる状態で線対称となるようにして、サイドフラップと側面パネルの折曲げ部分とに１つずつ形成したことを特徴とする。
【００１１】
この包装容器は、複数枚の中身を重ねた状態で収納してなるフィルム袋を少なくとも１つ以上収納して販売形態とされる。そして、フィルム袋の中身が途中まで消費されて残った場合に、一方の側面パネルの上部にある折曲げ部分を、両サイドのミシン目を切って内側に倒すとともにサイドフラップを内側に折り返す。このとき、折曲げ部分とサイドフラップを境界線のところで２つに折ることにより、強度が高まるとともに切込み線どうしが重なり、境界線のところに線状部分により差込み口が形成された留め具となるので、フィルム袋のねじった部分をその差込み口から差し込んで円形部分のところににセットすることができる。
【発明の効果】
【００１２】
本発明の包装容器は、複数枚の中身を重ねた状態で収納してなるフィルム袋を入れるのに利用されるが、そのフィルム袋の中身が途中ので消費されて残った場合に、フィルム袋の空いた部分をねじって閉じることのできる留め具を包装容器自体に備えているので、その場で輪ゴムやその他の留め具を探したりする必要がなく、しかもこの留め具は所謂ブレッドクリップのような形状をしているので簡単に使用することができる。
【図面の簡単な説明】
【００１３】
【図１】本発明に係る包装容器の一例を示す斜視図である。
【図２】図１の包装容器を組み立てるブランクの展開図である。
【図３】図２のブランクにおける要部の拡大図である。
【図４】図１の包装容器に備わった留め具の使用状態を示す説明図である。
【図５】本発明に係る包装容器の他の例を示す斜視図である。
【図６】図５の包装容器を組み立てるブランクの展開図である。
【図７】図６のブランクにおける要部の拡大図である。
【図８】図５の包装容器に備わった留め具の使用状態を示す説明図である。
【発明を実施するための形態】
【００１４】
次に、本発明の実施形態について図面を参照しながら詳細に説明する。
【００１５】
図１は本発明に係る包装容器の一つの形態を示す斜視図であり、この包装容器は図２にその展開図を示すブランクを組み立てて形成されるもので、中に２本のフィルム袋Ｐを収納している。フィルム袋Ｐには、ビスケット、クッキー、クラッカー、ポテトチップなどの薄手あるいは扁平状の菓子類が整列状態で重ねて収納されている。
【００１６】
図２のブランクは、普通の包装容器に用いられる板紙を打ち抜いたもので、図示のように、縦方向の折り線ａ，ｂ，ｃ，ｄを介して糊代片１、背面パネル２、左側面パネル３、前面パネル４、右側面パネル５がこの順で連設されている。また、前面パネル４の上下辺にはそれぞれ折り線ｅ，ｆを介して天面外側パネル６、底面外側パネル７が連設され、背面パネル２の上下辺にはそれぞれ折り線ｇ，ｈを介して天面内側パネル８、底面内側パネル９が連設されており、左側面パネル３の上下辺にはそれぞれ折り線ｉ，ｊを介してサイドフラップ１０，１１が連設され、右側面パネル５の上下辺にはそれぞれ折り線ｋ，ｌを介してサイドフラップ１２，１３が連設されている。
【００１７】
前面パネル４の上辺に連設する天面外側パネル６には、帯状のジッパーＧが設けられており、このジッパーＧは開けやすさを考慮して摘み口となる一方の端部で幅が広くなるように形成されている。また、背面パネル２の上辺に連設する天面内側パネル８には、再封用の舌片８ａが突設されており、天面外側パネル６にはその舌片を差し込んで係止するためのスリット６ａがジッパーＧと並んでその内側に形成されている。
【００１８】
左側面パネル３と右側面パネル５の上辺に連設するサイドフラップ１０，１２は、それらの折り線ｉ，ｋをミシン目とすることで切離し可能になっている。そして、これらのサイドフラップ１０，１２には、２つ折りするための縦方向の中央折り線ｍ，ｎが形成されているとともに、円形部分αと線状部分βとが繋がった切込み線が、中央折り線ｍ，ｎのところで線状部分βの先端どうしが繋がる状態で線対称となるようにして、それぞれサイドフラップ１０，１２に２つずつ形成されている。円形部分αと線状部分βとが繋がった切込み線は、図３にブランクの一部を拡大して示すように、途中にツナギ部分を残してあり、このツナギ部分は使用する際に簡単に破断できるようになっている。
【００１９】
図２に示すブランクは、折り線ｂ，ｄのところで折り曲げて糊代片１を右側面パネル５の裏側に貼り合わせたサック貼り状態とされる。そして、このようにサック貼り状態で折り畳まれたものが充填工程に送られ、内容物が充填されると同時に組み立てられて図１の包装容器が形成される。
【００２０】
充填工程では、まず、折り畳まれたブランクを角筒状に起こした後、上方の端面側で、サイドフラップ１０，１２をそれぞれ内側に折り曲げてから、天面内側パネル８と天面外側パネル６を順次折り曲げて貼り合わせて上部閉鎖部を形成する。このとき、ジッパーＧより外側の領域に糊（ホットメルト）を付けて貼り合わせるようにする。次いで、開いている下方の端面側より２本のフィルム袋Ｐを投入した後、サイドフラップ１１，１３をそれぞれ内側に折り曲げてから、底面内側パネル９と底面外側パネル７を順次折り曲げて貼り合わせて上部閉鎖部を形成する。これにより、図１に示すように、外観が横長で前後方向に薄い直方体形状をした包装容器が作製される。なお、上部閉鎖部と下部閉鎖部を形成する順序は逆になっても構わない。
【００２１】
この包装容器を開封するに際しては、ジッパーＧのところを引き裂いて除去する。そして、上部を開いて中からフィルム袋Ｐを取り出した後、フィルム袋Ｐの端を剥がして所定量の菓子類を取り出す。このようにしてフィルム袋Ｐから菓子類を取り出すが、途中まで食べるなどしてその一部を残す場合、フィルム袋Ｐの空いた部分をねじり、その留め具としてサイドフラップ１０，１２を利用することができる。
【００２２】
すなわち、サイドフラップ１０，１２のいずれかを切り離し、切り離したサイドフラップ１０，１２を中央折り線ｍ，ｎのところで２つに折って強度を高めた状態とする。すると、切り離して２つ折りとしたサイドフラップ１０，１２は、中央折り線ｍ，ｎのところに線状部分βにより差込み口が形成された留め具となる。そこで、図４に示すように、フィルム袋Ｐのねじった部分をその差込み口から差し込んで円形部分αのところにセットする。これにより図示の如くフィルム袋Ｐの空いた部分をねじった状態で閉じることができる。なお、いずれか一方のサイドフラップ１０，１２のみを留め具に利用できる構成としてもよいが、この包装容器の場合、両方のサイドフラップ１０，１２を留め具に利用するようにしてあるので、例えば２つのフィルム袋Ｐを開けてもそれぞれに使用することができる。
【００２３】
図５は本発明に係る包装容器の別の形態を示す斜視図であり、この包装容器は図６にその展開図を示すブランクを組み立てて形成される。
【００２４】
包装容器全体の構造は、図１と図２で説明した包装容器とほぼ同じであるので、図１及び図２に示した部位と同じ部位には同じ符号を付してその説明を省略する。なお、この包装容器の中は、図１の包装容器と同様、中に２本のフィルム袋Ｐを収納しており、各フィルム袋Ｐには、ビスケット、クッキー、クラッカー、ポテトチップなどの薄手あるいは扁平状の菓子類が整列状態で重ねて収納されている。
【００２５】
図６のブランクは、図２のブランクと比べて、左側面パネル３の上辺に連設するサイドフラップ１０と右側面パネル５の上辺に連設するサイドフラップ１２の構成が異なる。このうち、右側面パネル５の上辺に連設するサイドフラップ１２は普通のサイドフラップになっているが、左側面パネル３の上辺に連設するサイドフラップ１０は左側面パネル３の上部に跨がって工夫が施されている。
【００２６】
左側面パネル３の上部には、左側面パネル３を横断する折り線ｐと左側面パネル３の左右の折り線の一部分であるミシン目ｑ，ｒとにより折曲げ部分３ａが区画されている。この折曲げ部分３ａは左側面パネル３の上辺に連設するサイドフラップ１０を含む大きさである。したがって、左側面パネル３の上部には、サイドフラップ１０が折り重なった状態で内側に折曲げが可能な大きさの折曲げ部分３ａが、横断する折り線ｐと左右のミシン目ｑ，ｒとにより区画されている。なお、この例ではデザインを考えてサイドフラップ１０の外形を丸くしているが、形状はこれに限るものではない。
【００２７】
そして、サイドフラップ１０と左側面パネル３の折曲げ部分３ａには、円形部分αと線状部分βとが繋がった切込み線が、サイドフラップ１０と側面パネル３の折曲げ部分３ａとの境界線である折り線ｉのところで線状部分βの先端どうしが繋がる状態で線対称となるようにして、サイドフラップ１０と側面パネル３の折曲げ部分３ａとに１つずつ形成されている。円形部分αと線状部分βとが繋がった切込み線は、図７にブランクの一部を拡大して示すように、途中にツナギ部分を残してあり、このツナギ部分は使用する際に簡単に破断できるようになっている。
【００２８】
図６に示すブランクは、図２のブランクと同様の手順でサック貼り状態とされる。そして、充填工程に送られて同様の手順で組み立てられることで、図５に示すように、外観が横長で前後方向に薄い直方体形状をした包装容器が作製される。
【００２９】
この包装容器を開封する手順も同様であり、フィルム袋Ｐを取り出した後、そのフィルム袋Ｐの端から菓子類を取り出す手順も同様である。そして、フィルム袋Ｐから菓子類を途中まで取り出してその一部を残す場合、フィルム袋Ｐの空いた部分をねじり、その留め具としてサイドフラップ１０を利用することができる。
【００３０】
すなわち、上部を開けたままの状態で、左側面パネル３の上部にある折曲げ部分３ａを、両サイドのミシン目ｑ，ｒを切って折り線ｐのところで内側に倒すとともに、サイドフラップ１０を折曲げ部分３ａとの境界線である折り線ｉのところで内側に折り返す。すると、２つ折りとなったサイドフラップ１０と折曲げ部分３ａは、境界線である折り線ｉのところに線状部分βにより差込み口が形成された留め具となる。そこで、図８に示すように、フィルム袋Ｐの空いた部分をねじった状態のまま包装容器内に戻した後、フィルム袋Ｐのねじった部分を差込み口から差し込んで円形部分αのところにセットする。これにより図示の如くフィルム袋Ｐの空いた部分をねじった状態で閉じることができる。
【００３１】
そして、ジッパーＧのところが破断除去された天面外側パネル６の残った部分を内側に折り曲げ、その上に重なるように天面内側パネル８を内側に折り曲げるとともに、天面内側パネル８の先端にある舌片８ａを天面外側パネル６のスリット６ａに差し込むことで、図８に示すように、途中まで減ったフィルム袋Ｐを入れた状態で包装容器を再封することができる。
【００３２】
以上、本発明の実施の形態について詳細に説明してきたが、本発明による包装容器は、上記実施の形態に何ら限定されるものではなく、本発明の趣旨を逸脱しない範囲において種々の変更が可能であることは当然のことである。
【００３３】
例えば、上記の例では、板紙製の包装容器で説明したが、本発明の包装容器は、ポリプロピレン（ＰＰ）やポリエチレンテレフタレート（ＰＥＴ）などのプラスチックシートを打ち抜いたブランクでも作製可能である。
【００３４】
また、サイドフラップに形成する切込み線は、円形部分αと線状部分βとが繋がった形状であればよく、図２，図６に示した形状に限定されるものではない。要は、中央折り線で２つ折りしたときに、線状部分βがフィルム袋のねじった部分を導入でき、円形部分αがフィルム袋のねじった部分を係止できさえすれば任意の形状を採ることができる。
【符号の説明】
【００３５】
１  糊代片
２  背面パネル
３  左側面パネル
３ａ  折曲げ部分
４  前面パネル
５  右側面パネル
６  天面外側パネル
６ａ  スリット
７  底面外側パネル
８  天面内側パネル
８ａ  舌片
９  底面内側パネル
１０〜１３  サイドフラップ
Ｐ  フィルム袋
Ｇ  ジッパー
α  円形部分
β  線状部分
ａ〜ｌ  折り線
ｍ，ｎ  中央折り線
ｐ  折り線
ｑ，ｒ  ミシン目
【図１】
2015193387.tif 000003
【図２】
2015193387.tif 000004
【図３】
2015193387.tif 000005
【図４】
2015193387.tif 000006
【図５】
2015193387.tif 000007
【図６】
2015193387.tif 000008
【図７】
2015193387.tif 000009
【図８】
2015193387.tif 000010